(57)【要約】【課題】光源による照明によって視覚的効果が高められる時計を提供することである。【解決手段】掛時計１０は、収納凹部１４を有する時計本体１１と、時計本体１１の収納凹部１４内にそれぞれ配置された発光ダイオード１２、及び、発光ダイオード１２からの光を反射する光反射板１３と、収納凹部１４を覆うとともに、発光ダイオード１２から放射され、光反射板１３によって反射された反射光を投影する半透明シート２０とを備えている。半透明シート２０の外方には、表面に文字乃至数字が表示された文字板２１が配置されている。収納凹部１４の中央部に配設されるとともに文字乃至数字を指し示して時刻を表示する指針が連結されている指針軸２２と、指針軸２２を回転駆動する時計ムーブメント２３と、が設けられている。【選択図】図３
2012145423.tif 000002
【特許請求の範囲】
【請求項１】
収納凹部を有する時計本体と、
前記時計本体の収納凹部内にそれぞれ配置され、光を放射する光源、及び、前記光源からの光を反射する光反射板と、
前記収納凹部を覆うとともに、少なくとも前記光源から放射され、前記光反射板によって反射された反射光を投影する投影シートと、を備える、
ことを特徴とする時計。
【請求項２】
前記投影シートは、半透明シートで構成されている請求項１に記載の時計。
【請求項３】
前記投影シートの外方には、表面に文字乃至数字が表示された文字板が配置され、
前記収納凹部の中央部に配設され、前記文字乃至数字を指し示して時刻を表示する指針が連結されている指針軸と、
前記指針軸を回転駆動する時計ムーブメントと、をさらに備えることを特徴とする請求項１又は２に記載の時計。
【請求項４】
前記光源は、所定の放射角度範囲に光を放射するものであることを特徴とする請求項１乃至３のいずれか１項に記載の時計。
【請求項５】
前記光源は、発光ダイオードであることを特徴とする請求項１乃至４のいずれか１項に記載の時計。
【請求項６】
前記光反射板は、前記光源の光放射方向に対して凸状又は凹状に湾曲されていることを特徴とする請求項１乃至５のいずれか１項に記載の時計。
【請求項７】
前記光反射板には、前記光源の光放射方向に対して凸状に湾曲する凸状光反射板と、前記光源の光放射方向に対して凹状に湾曲する凹状光反射板とが含まれ、前記凸状光反射板は、前記光源からの光を前記半透明シートに楕円状に投影するとともに、前記凹状光反射板は、前記光源からの光を前記半透明シートに長尺状に投影することを特徴とする請求項１乃至５のいずれか１項に記載の時計。
【請求項８】
前記収納凹部は、底面と、前記底面の少なくとも一部を囲む周壁とから構成され、前記底面及び前記周壁は、いずれも黒色に着色されていることを特徴とする請求項１乃至７のいずれか１項に記載の時計。
【請求項９】
前記光反射板は、両面が光反射性を備えていることを特徴とする請求項８に記載の時計。
【請求項１０】
前記光反射板は、薄肉の光反射性材料から形成されていることを特徴とする請求項８又は９に記載の時計。
【請求項１１】
前記投影シートは、２０％以上８０％以下の全光線透過率（JIS K 7361-1）を有する半透明シートであることを特徴とする請求項１乃至１０のいずれか１項に記載の時計。
【請求項１２】
前記投影シートと、前記光反射板との間には、前記光源からの光を通過させ、前記半透明シートに投影する隙間が形成されていることを特徴とする請求項１乃至１１のいずれか１項に記載の時計。
【請求項１３】
前記光源は、放射される光が前記隙間を通過するように前記収納凹部内に傾斜して配置されていることを特徴とする請求項１２に記載の時計。
【請求項１４】
前記収納凹部には、一の前記光反射板に対して３つ以上の光源が配置され、該光源の内の少なくとも３つの光源には、それぞれ、光の三原色としての青、緑、橙の色が割り当てられていることを特徴とする請求項１乃至１３のいずれか１項に記載の時計。
【請求項１５】
前記収納凹部には、一の前記光反射板に対して光の三原色としての青、緑、橙の色が割り当てられている３つの光源が配置され、該３つの光源の光軸は、前記収納凹部の底面を基準として、それぞれ、異なる角度で傾斜していることを特徴とする請求項１乃至１４のいずれか１項に記載の時計。
【請求項１６】
所定の時刻になると、前記光源への通電がオンとなり、前記投影シートへの照明が行われるように構成されていることを特徴とする請求項１乃至１５のいずれか１項に記載の時計。
【発明の詳細な説明】
【技術分野】
【０００１】
本発明は、時計に関し、詳しくは、光源による照明によって視覚的効果が高められる掛時計に関する。
【背景技術】
【０００２】
従来より、導光板やアクリル板を文字板などに使用して均一な発光を得る時計が知られている。しかしながら、その光は暗所で時刻を視認できるようにするための機能的な発光を目的としたものが殆どである。
【０００３】
これに対し、視覚的効果を得ることを目的として、図１８、図１９に示される発光機能を備える掛時計１００が知られている（例えば、特許文献１を参照）。
【０００４】
この掛時計１００は、図１８、図１９に示すように中央部に長針１２４と短針１２３が連結された指針軸１２２が配設された透明の文字板１２５の周縁部の枠体１１１の内側に、発光ダイオード（ＬＥＤ；light emitting diode）などの複数の発光素子９１をその光軸が文字板１２５の中心方向を向くように設け、これらを発光させて文字板１２５を照明している。
【０００５】
この掛時計１００においては、図１９を参照して、発光素子９１からの放射光は透明の文字板１２５を直接的に照射するため、文字板１２５において、発光素子９１に近接した領域の投影光は強く（濃く）観察され、発光素子９１から離れるにつれて投影光が弱く（淡く）観察される。即ち、発光素子９１近傍が最も明るく、発光素子９１から離れるほど暗くなるグラデーション効果がある程度得られていた。
【先行技術文献】
【特許文献】
【０００６】
【特許文献１】特開２００２−２２８４９号公報
【発明の概要】
【発明が解決しようとする課題】
【０００７】
しかしながら、この掛時計１００では、文字板１２５に、色彩の変化や光の濃淡の変化など、照明のパターンが単調で、視覚的効果に乏しいものであった。このような掛時計１００において、光に濃淡の変化をもたせる場合には、例えば、図１８において、複数の発光素子９１を、掛け時計１００の厚み方向についての文字板１２５からの距離を互いに異ならせて配置することや、文字板１２５の中心からの距離を互いに異ならせて配置することが考えられる。これにより、それぞれの発光素子９１の掛時計１００の厚み方向の距離の差、及び文字板１２５の中心からの距離の差、即ち、文字板１２５に投影する光の光路差によって光の濃淡が異なるようになり、複雑な照明のパターンを創りだすことができる。ただし、このような方法によると、光路差を設けるために、掛時計１００の厚さが厚くなったり、文字板１２５を直視した場合の平面視での掛時計１００の占有面積が広くなったりしてしまう。このため、この掛時計１００では、サイズをコンパクトにし、かつ、厚さを薄く保ったまま、文字板１２５を適度に濃淡のある、ぼんやりとした光で照射することが困難であった。そして、この結果、この掛時計１００では、サイズが小さいことによるコンパクト性や、厚さの薄型化によるデザイン性が損なわれる問題もあった。
【０００８】
本発明は、上記事情に鑑みてなされたものであり、光源による照明によって視覚的効果が高められる時計を提供することを目的とする。
【課題を解決するための手段】
【０００９】
上記目的を達成するため、本発明に係る時計は、
収納凹部を有する時計本体と、
前記時計本体の収納凹部内にそれぞれ配置され、光を放射する光源、及び、前記光源からの光を反射する光反射板と、
前記収納凹部を覆うとともに、少なくとも前記光源から放射され、前記光反射板によって反射された反射光を投影する投影シートと、を備える、
ことを特徴とする。
【００１０】
前記投影シートは、半透明シートで構成されていることが好ましい。
【００１１】
前記投影シートの外方には、表面に文字乃至数字が表示された文字板が配置され、
前記収納凹部の中央部に配設され、前記文字乃至数字を指し示して時刻を表示する指針が連結されている指針軸と、
前記指針軸を回転駆動する時計ムーブメントと、をさらに備えることが好ましい。
【００１２】
前記光源は、所定の放射角度範囲に光を放射するものであることが好ましい。
【００１３】
前記光源は、発光ダイオードであることが好ましい。
【００１４】
前記光反射板は、前記光源の光放射方向に対して凸状又は凹状に湾曲されていることが好ましい。
前記光反射板には、前記光源の光放射方向に対して凸状に湾曲する凸状光反射板と、前記光源の光放射方向に対して凹状に湾曲する凹状光反射板とが含まれ、前記凸状光反射板は、前記光源からの光を前記半透明シートに楕円状に投影するとともに、前記凹状光反射板は、前記光源からの光を前記半透明シートに長尺状に投影することが好ましい。
【００１５】
前記収納凹部は、底面と、前記底面の少なくとも一部を囲む周壁とから構成され、前記底面及び前記周壁は、いずれも黒色に着色されていることが好ましい。
前記光反射板は、両面が光反射性を備えていることが好ましい。
前記光反射板は、薄肉の光反射性材料から形成されていることが好ましい。
【００１６】
前記投影シートは、２０％以上８０％以下の全光線透過率（JIS K 7361-1）を有する半透明シートであることが好ましい。
【００１７】
前記投影シートと、前記光反射板との間には、前記光源からの光を通過させ、前記半透明シートに投影する隙間が形成されていることが好ましい。
【００１８】
前記光源は、放射される光が前記隙間を通過するように前記収納凹部内に傾斜して配置されていることが好ましい。
【００１９】
前記収納凹部には、一の前記光反射板に対して３つ以上の光源が配置され、該光源の内の少なくとも３つの光源には、それぞれ、光の三原色としての青、緑、橙の色が割り当てられていることが好ましい。
【００２０】
前記収納凹部には、一の前記光反射板に対して光の三原色としての青、緑、橙の色が割り当てられている３つの光源が配置され、該３つの光源の光軸は、前記収納凹部の底面を基準として、それぞれ、異なる角度で傾斜していることが好ましい。
【００２１】
所定の時刻になると、前記光源への通電がオンとなり、前記投影シートへの照明が行われるように構成されていることが好ましい。
【発明の効果】
【００２２】
本発明によれば、光源による照明によって視覚的効果が高められる時計を提供することができる。
【図面の簡単な説明】
【００２３】
【図１】本発明の実施形態に係る掛時計を示す正面図である。
【図２】図１のＡ−Ａ線断面図である。
【図３】掛時計の内部構造を示す平面図である。
【図４】掛時計の収納凹部における発光ダイオードと光反射板の配置の一形態を示す平面図である。
【図５】掛時計の収納凹部における発光ダイオードと光反射板の配置の一形態を示す斜視図である。
【図６】（ａ）は光反射板の上面図、（ｂ）は（ａ）のｐ方向から観た光反射板の側面図、（ｃ）は（ａ）のq方向から観た光反射板の側面図である。
【図７】（ａ）は光反射板を使用して発光ダイオードの光を半透明シートに照射している状態を示す模式図であり、（ｂ）は発光ダイオードの光を半透明シートに直接的に照射している状態を示す模式図である。
【図８】（ａ）は本発明の実施形態にかかり、半透明シートに発光ダイオードの光を照射している状態を示す模式断面図であり、（ｂ）は（ａ）の発光ダイオードから半透明シートに投影された投影光を示す模式図である。
【図９】掛時計の制御系を示す回路構成図である。
【図１０】（ａ）は１枚の半透明シートを使用した場合に発光ダイオードから当該半透明シートに投影された投影光を示す模式図であり、（ｂ）は２枚の半透明シートを重ねて使用した場合に発光ダイオードから当該半透明シートに投影された投影光を示す模式図である。
【図１１】発光ダイオードが放射する光の指向特性を示すグラフである。
【図１２】（ａ）は凹状に湾曲した光反射板の表面から発光ダイオードの光が反射している状態を示す模式図であり、（ｂ）は凸状に湾曲した光反射板の表面から発光ダイオードの光が反射している状態を示す模式図である。
【図１３】（ａ）は凹状に湾曲した凹状の光反射板の表面に発光ダイオードの光を照射している状態を示す模式平面図であり、（ｂ）は（ａ）の発光ダイオードから半透明シートに投影された投影光を示す模式図である。
【図１４】（ａ）は凸状に湾曲した凸状の光反射板の表面に発光ダイオードの光を照射している状態を示す模式平面図であり、（ｂ）は（ａ）の発光ダイオードから半透明シートに投影された投影光を示す模式図である。
【図１５】（ａ）は光の三原色（青、緑、橙）の３つの発光ダイオードの配置状態を示す模式図であり、（ｂ）は（ａ）の３つの発光ダイオードから半透明シートに投影された投影光の混色の状態を示す模式図である。
【図１６】（ａ）は光の三原色（青、緑、橙）の３つの発光ダイオードから半透明シートに凹状に湾曲した凹状の光反射板を介して光を投影する投影光の状態を示す模式図であり、（ｂ）は（ａ）の３つの発光ダイオードから半透明シートに投影された投影光の混色の状態を示す模式図である。
【図１７】（ａ）は本発明の変形例にかかり、光反射板を使用して発光ダイオードの光を半透明シートに照射している状態を示す模式断面図であり、（ｂ）は（ａ）の発光ダイオードから半透明シートに投影された投影光を示す模式図である。
【図１８】従来例の掛時計を示す正面図である。
【図１９】図１８のＢ−Ｂ線断面図である。
【発明を実施するための形態】
【００２４】
以下、本発明の実施形態に係る時計を図面を参照して説明する。
【００２５】
図１乃至図３に示すように、本実施形態にかかる掛時計１０は、ほぼ円筒状に形成されている時計本体１１と、光を放射する光源としての複数の発光ダイオード（ＬＥＤ；Light Emitting Diode）１２と、複数の光反射板１３とを備えている。
【００２６】
図２乃至図５に示すように、時計本体１１の中央部には、円形状の収納凹部１４が形成されている。収納凹部１４は、内部の円形状領域１９を画成する周壁１４ａと、光源基板１５から構成される底部１４ｂとからなる。光源基板１５は、図２に示すように、各発光ダイオード１２を制御するための制御基板として機能する。光源基板１５は支持部材１６により、時計本体１１の背面を覆う背面板１７に連結されている。また、この時計本体１１の前面には合成樹脂製の透明カバー１１ａが嵌合装着されている。
【００２７】
図１及び図２に示すように、時計本体１１には、収納凹部１４を覆うように円形の半透明シート２０が配置されている。時計本体１１において、半透明シート２０及び収納凹部１４の径方向外方領域には、表面に文字乃至数字が表示された文字板２１が配置されている。
【００２８】
図１乃至図３に示すように、収納凹部１４（半透明シート２０）の中央部には、短針２２ａ及び長針２２ｂからなる指針に連結された指針軸２２が半透明シート２０を貫通するように配置されている。収納凹部１４の中央背面部には、図２に示すように、指針軸２２を回転駆動する時計ムーブメント２３が配置されている。そして、図１を参照して、指針軸２２が時計ムーブメント２３によって回転駆動され、短針２２ａ及び長針２２ｂがそれぞれ文字板２１表面の文字乃至数字を指し示すことで時刻が表示される。なお、時計本体１１の背面には、図示しない回転ダイヤルが配設されている。
【００２９】
図３乃至図５に示すように、複数（１２個）の発光ダイオード１２は、光源基板１５における、ループ状に曲げられた板材１８によって囲まれた円形状領域１９（底部１４ｂ）に配設されている。ループ状に曲げられた板材１８は円形状領域１９を包囲する周壁１４ａ（図２参照）を構成する。また、複数（４個）の光反射板１３は、各発光ダイオード１２から放射された光が反射され、半透明シート２０に投影されるように、光源基板１５の円形状領域１９の所定位置に配置されている。光反射板１３の反射面は、光源基板１５の表面と略直交している。図４において、複数の発光ダイオード１２と複数の光反射板１３とは、反時計周りに領域Ｘ、領域Ｙ、領域Ｚにそれぞれ配置されている。領域Ｘには、２個の光反射板１３、２個の発光ダイオード１２が配置されている。領域Ｙには、１個の光反射板１３、４個の発光ダイオード１２が配置されている。領域Ｚには、１個の光反射板１３、６個の発光ダイオード１２が配置されている。ここで、領域Ｘは、図１３（ａ）に示す複数の発光ダイオード１２と複数の光反射板１３の配置状態に対応する。また、領域Ｙ、領域Ｚは、図１６（ａ）に示す複数の発光ダイオード１２と複数の光反射板１３の配置状態に対応する。
【００３０】
各発光ダイオード１２は、対応する光反射板１３に光軸を向けて光源基板１５に対して傾斜して配置されている（図７（ａ）、図８（ａ）参照）。このように各発光ダイオード１２が傾斜配置されていることによって、各発光ダイオード１２から放射され、光反射板１３で反射された光が半透明シート２０に投影されるとともに、各発光ダイオード１２からの直接光が半透明シート２０に投影されるようにもなる。
【００３１】
各光反射板１３は、図６（ａ）乃至図６（ｃ）に示すように、両面に鏡面加工が施された厚さの薄い金属材料を用いて矩形状に形成され、対応する発光ダイオード１２の光放射方向（光軸）に対して凸状又は凹状に湾曲されている。即ち、これら光反射板１３には、発光ダイオード１２の光放射方向に対して凸状に湾曲する凸状の光反射板１３と、発光ダイオード１２の光放射方向に対して凹状に湾曲する凹状の光反射板１３とが含まれる。各光反射板１３には、その両端部に一対の舌片１３ａが一方向に突出するように形成されており、この一対の舌片１３ａによって光源基板１５の所定部位に支持固定されるようになっている（図８（ａ）参照）。
【００３２】
図３乃至図５を参照して、収納凹部１４において、光源基板１５からなる底部１４ｂ及び板材１８からなる周壁１４ａは、いずれも黒色に着色されている。これにより、半透明シート２０の背景となる収納凹部１４内が黒の着色によって暗くなることから、収納凹部１４の内部で反射した発光ダイオード１２の放射光が半透明シート２０に映り込むことが抑制され、半透明シート２０が光反射板１３からの反射光と、発光ダイオード１２からの直接光のみで実質的に照射されるようになる。この結果、発光ダイオード１２によって照明される半透明シート２０と、その背景である収納凹部１４との明るさの差異が際立つようになり、半透明シート２０の投影光が外部から明りょうに視認できるようになる。これに対し、収納凹部１４内が黒以外の明度の高い色、例えば、白色などで着色されていると、収納凹部１４内及び半透明シート２０が一様に明るくなってしまい、半透明シート２０の投影光の視認性が低下するので好ましくない。この視認性が低下する現象は、収納凹部１４の底部１４ｂを光拡散板などの乱反射を生じる基材で形成した場合でも同様に生じる。
【００３３】
前述したように、各光反射板１３は、両面に鏡面加工が施された厚さの薄い金属材料を用いて矩形状に形成されている（図６（ａ）乃至図６（ｃ）参照）。このように両面に鏡面加工が施されていることで、各光反射板１３の両面に収納凹部１４の黒色の背景が映し込まれるようになり、余分な反射光がなくなるため、半透明シート２０の投影光の視認効果が高められる。また、各光反射板１３は、厚さが０．３ｍｍ〜０．５ｍｍの薄肉に形成されていることが好ましい。０．３ｍｍ未満であると、光反射板１３の機械的強度が不足して光源基板１５での固定状態が不安定になることがあり、０．５ｍｍを超えると、外部からの光のうち、底部１４ｂと平行な面である光反射板１３の側面１３ｂ（図６（ａ）乃至図６（ｃ）参照）で反射される光が多くなり、当該反射光によって半透明シート２０が明るく照明されてしまうために、発光ダイオード１２による半透明シート２０の投影光の視認性が低下することがある。
【００３４】
図７（ｂ）に示すように、発光ダイオード１２を半透明シート２０から離間して配置した場合には、投影光１２ｂがぼんやりとした光として観察されるなどの効果が得られる。しかし、この場合では、図７（ｂ）に示すように、発光ダイオード１２を半透明シート２０から離間して配置しなければならないために、掛時計１０の厚さＬｄ２（収納凹部１４の深さ）をある程度大きくすることが必要になる。また、発光ダイオード１２から半透明シート２０までの距離（＝光路長）を平面方向に長くしても同様の効果が得られるが、この場合は掛時計１０の平面視での面積、換言すれば、文字板２１の直径が大きくなる。
【００３５】
これに対し、本実施形態の掛時計１０では、図７（ａ）に示すように、発光ダイオード１２から放射される光の一部は、光反射板１３に入射する。そして、光反射板１３は、発光ダイオード１２から放射された光を反射し、当該反射光は半透明シート２０に投影光１２ａとして投影される。このため、図７（ｂ）に示すような、光反射板１３を使用せず、発光ダイオード１２で直接的に半透明シート２０を照明する場合と比較して、掛時計１０の厚さＬｄ１（収納凹部１４の深さ）を小さく保ったまま（Ｌｄ１＜Ｌｄ２）、あるいは平面視での面積を大きくしなくても光路長を長くできる。このため、図７（ｂ）に示すような場合に比べて厚さが薄く、平面視での面積も小さい掛時計１０でありながら、透明シート２０の投影光１２ａにぼんやりした光を得ることができる。
【００３６】
そして、本実施形態では、半透明シート２０の投影光に濃淡の変化が得られる。これは、半透明シート２０において、発光ダイオード１２に近接した領域の投影光は強く（濃く）観察され、それとは逆に、発光ダイオード１２から離隔した領域の光は弱く（淡く）観察されるためである。主として後者の淡い投影光は、前述したぼんやりとした光として観察される。この結果、本実施形態の掛時計１０においては、半透明シート２０の投影光によって、視覚的効果が高められるとともに、サイズ（面積、厚さ）が小さいことによるコンパクト性が実現される。
【００３７】
本実施形態では、図７（ａ）に示すように、半透明シート２０と各光反射板１３の側面１３ｂとの間には、発光ダイオード１２からの光を通過させ、半透明シート２０に投影する隙間Ｌｃが形成されている。発光ダイオード１２から放射される光が隙間Ｌｃを通過するように、発光ダイオード１２は、その光軸（レンズの長手方向）が底部１４ｂの表面に対して傾斜するように収納凹部１４内に配置されている。ここでの光軸の傾斜角度θは、１０°≦θ≦２０°とすることが好ましい。
【００３８】
本実施形態では、図８（ａ）に示すように、発光ダイオード１２から放射され、隙間Ｌｃを通った光は、そのまま直接的に半透明シート２０の投影光となる。一方、発光ダイオード１２から放射され、光反射板１３に入射する光は、光反射板１３で反射され、間接的に半透明シート２０の投影光となる。その他、発光ダイオード１２から放射される光には、隙間Ｌｃを通ることなく、半透明シート２０を直接的に照射するものも存在する。
【００３９】
ここで、隙間Ｌｃを通って半透明シート２０に投影される光は、光反射板１３に対する発光ダイオード１２の位置によって変化する。例えば、図８（ａ）の状態において、発光ダイオード１２が、その光軸の傾斜角度θが１０°のときに隙間Ｌｃを通過する光が最大になるような位置にあったとすると、それよりも傾斜角度を大きくする（例えば２０°）と隙間Ｌｃを通過する光は少なくなる。
【００４０】
本実施形態において、発光ダイオード１２の傾斜角度θと、隙間Ｌｃを通過する光との関係は上述のとおりであるが、仮に発光ダイオード１２が本実施形態よりも半透明シート２０に近い位置に取り付けられていたとすると、傾斜角度θが小さいほうが隙間Ｌｃを通過する光は多くなり、傾斜角度θが大きくなるほど隙間Ｌｃを通過する光は少なくなる。つまり、所望する視覚的効果を得るために、光反射板１３と発光ダイオード１２との位置関係に応じて、発光ダイオード１２の傾斜角度θを調整すればよい。
【００４１】
このように、本実施形態では、発光ダイオード１２から放射された光には、この隙間Ｌｃを通ってそのまま直接的に半透明シート２０を照射する直接光と、隙間Ｌｃを通ることなく、半透明シート２０を直接的に照射する直接光と、発光ダイオード１２と対向する光反射板１３の表面で反射され、間接的に半透明シート２０を照射する間接光とが含まれる。
【００４２】
図８（ａ）に示すように、半透明シート２０の投影光のうち、発光ダイオード１２から直接的に投影された光、即ち、半透明シート２０と各光反射板１３との間の隙間Ｌｃを通過した光などの直接光は、図８（ｂ）に示すように、半透明シート２０に光反射板１３に沿う直接光投影領域３１を形成するとともに、光反射板１３の側面１３ｂのエッジ部（図６（ａ）乃至図６（ｃ）参照）を、当該直接光投影領域３１の上方の第１境界線４１として投影する。一方、半透明シート２０の投影光のうち、発光ダイオード１２から投影され、光反射板１３で反射された光は、図８（ｂ）に示すように、半透明シート２０に光反射板１３に沿う間接光投影領域３２を形成するとともに、光反射板１３の側面１３ｂのエッジ部（図６（ａ）乃至図６（ｃ）参照）を、直接光投影領域３１の下方且つ当該間接光投影領域３２の上方の第２境界線４２として投影する。なお、図８（ａ）に示す光反射板１３は、発光ダイオード１２の光軸に対して、凸状に湾曲しているものである。
【００４３】
図８（ｂ）に示すように、直接光投影領域３１は、領域Ｂａと、領域Ｂａの外周を囲む領域Ｂｂと、領域Ｂｂの外周を囲む領域Ｂｃとから略構成される。領域Ｂａが最も光の強度が高く（光が濃く）なり、領域Ｂａから領域Ｂｃに移るに従って光の強度が低下する（光が淡くなる）ようになる。一方、間接光投影領域３２は、領域Ｂａ´と、領域Ｂａ´の外周を囲む領域Ｂｂ´と、領域Ｂｂ´の外周を囲む領域Ｂｃ´とから略構成される。領域Ｂａ´が最も光の強度が高く、領域Ｂａ´から領域Ｂｃ´に移るに従って光の強度が低下する。これによって、半透明シート２０の投影光にグラデーション効果が得られるとともに、当該半透明シート２０の淡い投影光がぼんやりとした光として視認される。このように領域Ｂａ、Ｂａ´が最も光の強度が高く、周辺の領域に移るに従って光の強度が低下するのは、当該領域Ｂａ、Ｂａ´が、それぞれ、領域Ｂａ乃至領域Ｂｃ、領域Ｂａ´乃至領域Ｂｃ´の間で、発光ダイオード１２からの距離が最も短く、領域Ｂａ、Ｂｂ、Ｂｃ、領域Ｂａ´、Ｂｂ´、Ｂｃ´に移るに従って発光ダイオード１２からの距離が長くなるためである。
【００４４】
また、本実施形態によれば、図８（ａ）及び図８（ｂ）を参照して、半透明シート２０と各光反射板１３の側面１３ｂとの間の隙間Ｌｃによって、直接光投影領域３１と、間接光投影領域３２とで、一つの発光ダイオード１２から放射された光が、二重に観察されるようになる。このように光が二重に観察される現象も、半透明シート２０の投影光において、視覚的効果の向上に寄与するものである。
【００４５】
本実施形態では、発光ダイオード１２は、時刻や季節に応じて多様な発光パターンが得られるように制御されている。図１を参照して、発光ダイオード１２からの直接光、間接光による半透明シート２０の投影光は、掛時計１０の正面から観察すると、発光ダイオード１２の発光制御に伴って、半透明シート２０の表面に多様な発光パターンで浮き出るような状態で視認される。
【００４６】
詳しくは、図９に示すように、本実施形態の掛時計１０は、発光ダイオード１２を発光制御するため、以下のような回路構成を備える。
図９に示す回路においては、制御回路５０に、現在時刻計時回路５１、照明機能オンオフスイッチ５２、アナログ時刻表示部５３、発光部駆動回路５４、報音部５５が接続されている。発光部駆動回路５４には、複数の発光ダイオード１２が電気的に接続されている。制御回路５０は、図示しないＣＰＵ（Central Processing Unit）、ＲＯＭ（Read Only Memory）、ＲＡＭ（Random Access Memory）を内蔵しており、掛時計１０の各種動作を制御する。この動作制御は、制御回路５０のＲＯＭに格納された制御プログラムが、当該ＲＯＭに格納された各種データ及び制御回路５０のＲＡＭに一時的に格納された各種データに基づいて、ＣＰＵによって実行されることで行われる。
【００４７】
現在時刻計時回路５１は、図示しない水晶発振器、分周器を備えており、現在時刻及びカレンダ情報を計時する。報音部５５は、制御回路５０によって制御され、現在時刻計時回路５１からの時刻情報に応じて、時報用の音を出力するほか、制御回路５０のＲＯＭに格納された音楽用データに基づいて音楽も出力する。
【００４８】
アナログ時刻表示部５３の時刻の設定は時計ムーブメント２３の背面に設けられた回転ダイヤル（図示せず）によって手動で行なわれる。ここで、アナログ時刻表示部５３は前述した時計ムーブメント２３、指針軸２２、短針２２ａ及び長針２２ｂからなる指針を有する（図１乃至図３参照）。このように時刻が手動で設定されたアナログ時刻表示部５３は、その後、制御回路５０によって制御され、現在時刻計時回路５１で計時する現在時刻を表示する。なお、上述した回転ダイヤルは、時計本体１１の背面板１７に取り外し可能に設けられた蓋部（図示せず）を取り外すことで露出し、操作可能となる。
【００４９】
また、照明機能オンオフスイッチ５２をオン状態とすると制御回路５０は発光部駆動回路５４に対して制御信号を送る。この制御信号は、現在時刻計時回路５１からの現在時刻及びカレンダ情報に応じた信号として制御回路５０から出力されるものである。この制御信号は、制御回路５０のＲＯＭに格納された所定の時刻ごとに設定された発光パターンデータや、季節ごとに変化するように設定された発光パターンデータなどに基づいて、当該ＲＯＭに格納された制御プログラムがＣＰＵで実行されることで生成される。
【００５０】
そして、照明機能オンオフスイッチ５２がオン状態の場合には、現在時刻計時回路５１からの現在時刻情報及びカレンダ情報に応じて、複数の発光ダイオード１２を所定の発光パターンで発光させるための制御信号が発光部駆動回路５４に出力される。一方、照明機能オンオフスイッチ５２がオフ状態の場合には、発光ダイオード１２を発光させるための制御信号が発光部駆動回路５４に出力されず、複数の発光ダイオード１２の発光はオフ状態となる。
【００５１】
発光部駆動回路５４はこれらの制御信号を受けて、複数の発光ダイオード１２に駆動信号を出力する。駆動信号を受けた複数の発光ダイオード１２は、それぞれ半透明シート２０に向けて所定の発光パターンで照明光を放射する。この発光パターンは、上記した制御プログラムによって、所定の時刻毎にサイクリック（周期的）に変化するとともに、時報用や音楽用音響装置としての報音部５５と連動している。
【００５２】
具体的には、本実施形態では、このような制御系を採用することで、例えば、午前７時、８時などの所定の時刻になると、報音部５５から所定のメロディが出力されるとともに、発光ダイオード１２への通電が自動的にオンとなり、半透明シート２０が多様な発光パターン、例えば、水の流れ、花畑、木々の間からの木漏れ日などのヒーリング効果のある自然の光を表現する発光パターンで照明されるようになる。これにより、時報を行う時計本来の機能に対し、半透明シート２０の投影光による視覚的効果が付加されるようになり、掛時計１０の趣興性が高められるようになる。この発光制御では、後述するように、青光、緑光、橙光の発光ダイオード１２の発光による多様な色彩の混合を行うように制御することにより、上述した水の流れなどの発光パターンにおける色彩のバリエーションが増加し、半透明シート２０の投影光による視覚的効果がさらに高められている。
【００５３】
本実施形態では、半透明シート２０の基材として、ユポトレース（登録商標）（品番：ＴＰＲＡ９０、株式会社ユポ・コーポレーション製、厚さ９０μｍ）を使用する。半透明シート２０としては、これに限られず、適度な光透過性を有するその他の半透明性の基材、例えば、乳白色のアクリルシートを使用することもできる。なお、特に限定されるものではないが、投影光にグラデーション効果を得るために、半透明シート２０の基材の全光線透過率（JIS K 7361-1）は、２０％以上８０％以下、好ましくは３０％以上５０％以下であることが望ましい。２０％未満であると、透明度が低くなり過ぎ、半透明シート２０において、ぼけた弱い投影光しか見えなくなる。８０％を超えると、透明度が高くなり過ぎ、半透明シート２０において、投影光は強くなるが、にじみや濃淡の差が得られなくなる。
【００５４】
半透明シート２０であるユポトレース（登録商標）は、１枚のみで使用することが望ましい。この場合、図１０（ａ）に示すように、半透明シート２０の投影光２０ａは、掛時計１０を文字板２１に対して垂直方向から相当距離離間して観察しても、明瞭な楕円形の光として観察される。これに対し、半透明シート２０であるユポトレース（登録商標）を、例えば、２枚重ねて使用した場合には、図１０（ｂ）に示すように、半透明シート２０の投影光２０ｂは、図１０（ａ）に示す場合と比較して、さらに減弱され、相当距離離間して観察した場合に視認し難くなってしまう。
【００５５】
図１１を参照して、本実施形態で用いる発光ダイオード１２の特性について説明する。図１１に示す指向特性は、２５℃の温度条件で、発光ダイオード１２に供給する直流電流を２０ｍＡとして得ることができる。
【００５６】
図１１において、横軸は放射角度（Radiation Angle）に対応しており、縦軸は相対輝度（Relative Luminosity）に対応している。図１１から、同図１１に示される発光ダイオード１２から放射される光の指向特性は、光軸を基準として、放射角度０°の方向が最も輝度が高く、この方向の近傍部分である放射角度４０°以内が相対的に輝度が高い指向性を示している。このような指向特性を有する発光ダイオード１２から放射された光を光反射板１３に反射させることにより、以下に説明するような効果が得られる。
【００５７】
図１２（ａ）に示すように、円弧を描くように凹状に湾曲した凹状の光反射板１３の表面に、光反射板１３の長手方向に略直交する方向に沿って、発光ダイオード１２から光を照射している場合では、光反射板１３の表面で反射された光は、光反射板１３の長手方向に対して直交する方向に延びる縦長の楕円状の領域Ｒ１に集光され、半透明シート２０に投影されるようになる。一方、図１２（ｂ）に示すように、円弧を描くように凸状に湾曲した凸状の光反射板１３の表面に、光反射板１３の長手方向に略直交する方向から発光ダイオード１２から光を照射している場合では、光反射板１３の表面で反射された光は、長尺状、具体的には、光反射板１３の長手方向に沿って延びる横長の楕円状の領域Ｒ２に拡散され、半透明シート２０に投影されるようになる。
【００５８】
図１３（ａ）に示すように、円弧を描くように凹状に湾曲した凹状の光反射板１３の表面に対し、光反射板１３の湾曲方向に沿って、発光ダイオード１２から光を照射している場合では、一旦光反射板１３の表面領域Ａ１で反射された光は、当該光反射板１３の表面領域Ａ２で再度反射され、半透明シート２０を照射するようになる。この場合、半透明シート２０の投影光のうち、発光ダイオード１２から直接的に投影された光、即ち、半透明シート２０と各光反射板１３との間の隙間Ｌｃを通過した光を含む直接光（図８（ａ）参照）は、図１３（ｂ）に示すように、半透明シート２０に光反射板１３に沿う直接光投影領域３３を形成するとともに、光反射板１３の側面１３ｂのエッジ部（図６（ａ）乃至図６（ｃ）参照）を、当該直接光投影領域３１の上方の第１境界線４３として投影する。一方、半透明シート２０の投影光のうち、発光ダイオード１２から投影され、光反射板１３で反射された光は、図１３（ｂ）に示すように、半透明シート２０に光反射板１３に沿って延びる間接光投影領域３４を形成するとともに、光反射板１３の側面１３ｂのエッジ部（図６（ａ）乃至図６（ｃ）参照）を、直接光投影領域３３の下方且つ当該間接光投影領域３４の上方の第２境界線４４として投影する。なお、図１３（ａ）に示す発光ダイオード１２は、白色光のものであるが、その他の発光色であっても勿論構わない。
【００５９】
なお、図１３（ｂ）に示す半透明シート２０の投影光においては、図８（ｂ）に示す状態と同様に、直接光投影領域３３における領域Ｂ１が最も光の強度が高く、領域Ｂ１から領域Ｂ３に移るに従って、光の強度が低下するようになる。また、間接光投影領域３４における領域Ｂ１´が最も光の強度が高く、領域Ｂ１´から領域Ｂ４´に移るに従って、光の強度が低下するようになる。これによって、半透明シート２０の投影光にグラデーション効果が得られるとともに、当該半透明シート２０の淡い投影光がぼんやりとした光として視認される。このように領域Ｂ１、Ｂ１´がそれぞれの属する投影領域において最も光の強度が高く、周辺の領域に移るに従って光の強度が低下するのは、図８（ａ）及び図８（ｂ）に示す場合と同様に、当該領域Ｂ１、Ｂ１´が、それぞれ、領域Ｂ１乃至Ｂ３、領域Ｂ１´乃至Ｂ４´の間で発光ダイオード１２からの距離が最も短く、領域Ｂ１、Ｂ２、Ｂ３、領域Ｂ１´、Ｂ２´、Ｂ３´、Ｂ４´に移るに従って発光ダイオード１２からの距離が長くなるためである。なお、この図１３（ａ）に示される発光ダイオード１２と光反射板１３との配置は、図４の領域Ｘ内での発光ダイオード１２と光反射板１３との配置において実現されている。この領域Ｘでは、発光ダイオード１２と光反射板１３とのペアは２組存在する。
【００６０】
これに対し、図１４（ａ）に示すように、円弧を描くように凸状に湾曲した凸状の光反射板１３の表面に対し、光反射板１３の長手方向に所定の角度傾斜した方向に沿って、発光ダイオード１２から光を照射している場合では、光反射板１３の表面領域Ａ３で反射された光は、再度光反射板１３で反射されることがない。そして、当該反射光は、図１４（ｂ）に示すように、光反射板１３の中央領域に集光される間接光投影領域３５を形成するとともに、光反射板１３の上下の側面１３ｂの各エッジ部を、当該間接光投影領域３５の上下の第３境界線４５として投影する。なお、図１４（ａ）では、発光ダイオード１２の光軸の傾斜角度θは、２０°程度であり、半透明シート２０と各光反射板１３の側面１３ｂとの間の隙間Ｌｃ（図８（ａ）参照）を光が殆ど通過しないような位置関係に調整されている。そのため、図１４（ａ）においては、隙間Ｌｃを通過して半透明シート２０に投影される投影光は殆ど観察されない。このように本実施形態では、所望の視覚的効果が得られるように光反射板１３と発光ダイオード１２との位置関係が調整されている。この図１４（ａ）に示される発光ダイオード１２と光反射板１３の配置は、図４の領域Ｚ内における発光ダイオード１２と光反射板１３の配置で実現されている。
【００６１】
なお、図１４（ｂ）に示す半透明シート２０の投影光（間接光投影領域３５）においては、図８（ｂ）、図１３（ｂ）に示す状態と同様に、領域Ｂ１１が最も光の強度が高く、領域Ｂ１１から領域Ｂ１４に移るに従って、光の強度が低下するようになる。これによって、半透明シート２０の投影光にグラデーション効果が得られるとともに、当該半透明シート２０の淡い投影光がぼんやりとした光として視認される。このように領域Ｂ１１が間接光投影領域３５において最も光の強度が高く、周辺の領域に移るに従って光の強度が低下するのは、図８（ｂ）、図１３（ｂ）に示す場合と同様に、当該領域Ｂ１１が、領域Ｂ１１乃至Ｂ１４の間で発光ダイオード１２からの距離が最も短く、領域Ｂ１１、Ｂ１２、Ｂ１３、Ｂ１４に移るに従って発光ダイオード１２からの距離が長くなるためである。
【００６２】
本実施形態では、このように掛時計１０を照明するための光源として、レンズを有する発光ダイオード１２を使用するので、当該レンズによる光の拡散効果によっても、半透明シート２０の投影光に或る程度の視覚的効果が付与されている。しかしながら、当該レンズによる光の拡散効果がない場合でも、複数の光反射板１３によって、本実施形態の掛時計１０に充分な視覚的効果が得られることは勿論である。
【００６３】
以下、図１５（ａ）、図１５（ｂ）、及び、図１６（ａ）、図１６（ｂ）を参照しながら、光の三原色（青、緑、橙）の発光色をそれぞれ有する３つの発光ダイオード１２Ｂ（１２）、１２Ｇ（１２）、１２Ｒ（１２）から半透明シート２０に光を投影する投影光の状態を説明する。
【００６４】
図１５（ａ）に示すように、正三角形の頂点にほぼ配置された、青光を発光する発光ダイオード１２Ｂ、緑光を発光する発光ダイオード１２Ｇ、橙光を発光する発光ダイオード１２Ｇからの光が２種以上混色する。すると、図１５（ｂ）に示すように、半透明シート２０の投影光において、各混色が生じた領域において、青緑色、紫色、黄色、白色などの多様な色彩の光の領域が形成されるようになる。これにより、半透明シート２０の投影光において、光の濃淡だけでなく、光の色彩によっても、グラデーション効果が得られるようになり、発光ダイオード１２の照明による掛時計１０の視覚的効果がさらに高められるようになる。
【００６５】
図１６（ａ）に示すように、円弧を描くように凹状に湾曲した凹状の光反射板１３の表面に、光反射板１３の湾曲方向に沿って、発光ダイオード１２Ｂ、１２Ｇ、１２Ｒから光を照射している場合では、一旦光反射板１３の表面で反射された光は、当該光反射板１３の別の表面で再度反射され、半透明シート２０を照射するようになる。この場合、図１６（ｂ）に示すように、半透明シート２０の投影光において、光反射板１３に沿って延びる第１の間接光投影領域３６Ｂ１、３６Ｇ１、３６Ｒ１が形成されるとともに、光反射板１３に沿って延びる第２の間接光投影領域３６Ｂ２、３６Ｇ２、３６Ｒ２が形成される。そして、図１６（ｂ）を参照して、半透明シート２０の投影光において、混色が生じ、青緑色、紫色、黄色、白色などの多様な色彩の光の領域が形成されるようになる。また、この場合、青緑色、紫色、黄色、白色などの多様な色彩の光の領域は、光反射板１３に沿って延びるように、且つ、同じ色彩が、異なる２つの場所に形成されるので、半透明シート２０の投影光において、異なる色彩の混色効果によるグラデーション効果がさらに向上するようになる。
【００６６】
図１６（ａ）に示す場合では、発光ダイオード１２Ｂ、１２Ｇ、１２Ｒの光軸の傾斜角度（発光ダイオード１２Ｂ、１２Ｇ、１２Ｒの光軸と光源基板１５との表面がなす角度）をそれぞれθＢ、θＧ、θＲとしたときにそれぞれが異なる値をとるようにする。具体的には、２０°≧θＢ＞θＧ＞θＲ≧１０°とすることが好ましい。これにより、図１６（ｂ）に示すように、効果的な投影光の混色効果が得られるようになる。なお、この図１６（ａ）に示される発光ダイオード１２と光反射板１３との配置は、図４の領域Ｙ、領域Ｚ内での発光ダイオード１２と光反射板１３との配置において実現されている。ここで、領域Ｚ内での発光ダイオード１２と光反射板１３との配置では、１個の光反射板１３の両側にそれぞれ、３個の発光ダイオード１２Ｂ、１２Ｇ、１２Ｒが配置されている。また、この領域Ｙ内では、光反射板１３の上方に、３個の発光ダイオード１２Ｂ、１２Ｇ、１２Ｒ以外の発光ダイオード１２が１個配置されている。
【００６７】
以上説明したように、本実施形態の掛時計１０によれば、発光ダイオード１２から放射される光を反射する光反射板１３を使用するので、この光反射板１３によって発光ダイオード１２から半透明シート２０までの光路長に変化をもたせて照射光の強度に差をもたせることや、発光ダイオード１２からの光束の幅に差を設けることが可能となる。このため、掛時計１０の厚さを薄くしたり、平面視での掛時計１０の占有面積を狭くしたりしても、半透明シート２０に投影される投影光がぼんやりとした光となるなど、グラデーション効果を持たせることが可能となる。この結果、半透明シート２０を濃淡のある光や多様な色彩によって照明することによる視覚的効果に加えて、サイズが小さいことによるコンパクト性や、厚さの薄型化によるデザイン性が高められるようになる。
【００６８】
また、本実施形態によれば、半透明シート２０と各光反射板１３との間には、発光ダイオード１２からの光を通過させ、半透明シート２０に投影する隙間Ｌｃが形成されているので、一つの発光ダイオード１２から、隙間Ｌｃを通して半透明シート２０を直接的に照明する効果と、光反射板１３で反射させて半透明シート２０を間接的に照明する効果の２種の効果が得られるので、半透明シート２０の投影光において、高いグラデーション効果が得られるようになる。例えば、一の発光ダイオード１２からの半透明シート２０を直接的に照明する光と、他の発光ダイオード１２からの光反射板１３で反射されて半透明シート２０を間接的に照明する光とが重なった場合には、当該照明領域は明るくなり、半透明シート２０を直接的に照明する光や半透明シート２０を間接的に照明する光だけの場合には、当該照明領域は複数の光が重なっていない場合よりも暗くなるので、光の濃淡の変化度合を増大させることが可能となる。また、半透明シート２０を直接的に照射する光路長と、光反射板１３で反射されて半透明シート２０を間接的に照射する光路長との距離がほぼ同じであれば、ほぼ同じ光の照明効果が得られるようになる。ただし、実際には、半透明シート２０への光の照明効果は、光反射板１３の反射率によっても左右され、同じ光路長でも、反射して半透明シート２０を照明する光は、直接的に半透明シート２０を照明する光と比較して、若干その強度が減弱されるようになる。
【００６９】
なお、上記実施形態では、図８（ａ）に示すように、半透明シート２０と各光反射板１３との間には、発光ダイオード１２からの光を通過させ、半透明シート２０に投影する隙間Ｌｃを形成した。これに限られず、図１７（ａ）に示すように、半透明シート２０と各光反射板１３との間に隙間を形成せず、半透明シート２０と各光反射板１３の側面とを接触させることも可能である。この場合、図１７（ｂ）に示すように、半透明シート２０に光反射板１３に沿う間接光投影領域３７を形成するとともに、光反射板１３の側面１３ｂのエッジ部（図６（ａ）乃至図６（ｃ）参照）を、間接光投影領域３７の上方の境界線４７として投影する。
【００７０】
また、上記実施形態では、本発明の技術的思想を掛時計１０に適用したが、これに限られず、その他の種類の時計、例えば、置時計、腕時計、屋外に設置する大型の時計に適用することができることは勿論である。また、アナログ表示の時計だけでなく、デジタル表示の時計に適用できることは勿論である。
【００７１】
また、上記実施形態では、円弧を描くように光反射板１３を凸状又は凹状に湾曲させた。これに限られず、光反射板１３は、半透明シート２０の投影光において、光の濃淡などのグラデーション効果が効果的に得られる限り、放物線、双曲線、正弦曲線、サイクロイド線などのその他の曲線を描くように湾曲させることも可能である。即ち、光反射板１３の湾曲の形状は特に限定されるものではない。
【００７２】
また、上記実施形態では、掛時計１０の収納凹部１４内での複数の発光ダイオード１２及び複数の光反射板１３の配置パターンを図４の領域Ｘ、領域Ｙ、領域Ｚに示すとおりとした。これに限られず、半透明シート２０の投影光にグラデーション効果などの視覚的効果が得られる限り、その他の配置パターンとすることができることはいうまでもない。
【００７３】
また、上記実施形態では、掛時計１０を照明する光源として発光ダイオード（ＬＥＤ）を用いたが、その他の光源、例えば、白熱電灯、蛍光チューブ、有機ＥＬ素子などが使用できることは勿論である。
【００７４】
また、上記実施形態では、光源基板１５からなる底部１４ｂ及び板材１８からなる周壁１４ａは、いずれも黒色に着色されているが、これに限られず、底部１４ｂ及び周壁１４ａは、半透明シート２０への発光ダイオード１２の投影光の視認性を損なわない範囲において、黒色以外の色、例えば、紺色や灰色で着色されていてもよい。または、一部のみが紺色や灰色などの黒色以外の色で、他が黒色で着色されされていもよい。ここで一部とは、縦縞、横縞、格子縞などのパターンが考えられる。このようにすると、外部からの光が反射されて半透明シート２０に投影されることで、半透明シート２０の投影光に視覚的効果を付与することも可能となる。
【００７５】
また、上記実施形態では、各光反射板１３は、厚さが０．３ｍｍ〜０．５ｍｍの薄肉に形成されているものとしたが、これに限られず、各光反射板１３は、半透明シート２０への発光ダイオード１２の投影光の視認性を損なわない範囲において、さらに厚くする（０．５ｍｍを超える）ことで、外部からの光を光反射板１３の側面１３ｂで反射させるようにしてもよい。このようにして光反射板１３の形状に基づいた模様を半透明シート２０に投影させることで、さらに別の視覚的効果を付与することも可能となる。さらに、光反射板１３そのものを任意の形状に形成して、その形状が投影されるようにしてもよい。
【００７６】
また、上記実施形態では、発光ダイオード１２からの光を投影する投影シートは、半透明シート２０としたが、これに限られず、投影シートは、例えばハーフミラーのようなものであってもよい。さらに、投影シートは、半透明シート２０と同程度の光透過性を持つ繊維シートや、光を透過する隙間を有する繊維シート（例えば網状の繊維シート）、綿状の繊維シートなどからなるものであってもよい。
【００７７】
本発明は、本発明の広義の精神と範囲を逸脱することなく、様々な実施形態及び変形が可能とされるものである。また、上述した実施形態は、本発明を説明するためのものであり、本発明の範囲を限定するものではない。
【符号の説明】
【００７８】
１０  掛時計
１１  時計本体
１２、１２Ｂ、１２Ｇ、１２Ｒ  発光ダイオード（ＬＥＤ）
１２ａ、２０ａ、２０ｂ  投影光
１３  光反射板
１３ａ  光反射板の舌片
１３ｂ  光反射板の側面
１４  収納凹部
１４ａ  周壁
１４ｂ  底部
１５  光源基板
１６  支持部材
１７  背面板
１８  板材
１９  円形状領域
２０  半透明シート
２１  文字板
２２  指針軸
２２ａ  短針
２２ｂ  長針
２３  時計ムーブメント
３１、３３  直接光投影領域
３２、３４、３５、３７  間接光投影領域
３６Ｂ１、３６Ｂ２  青色の間接光投影領域
３６Ｇ２、３６Ｇ２  緑色の間接光投影領域
３６Ｒ１、３６Ｒ２  橙色の間接光投影領域
４１、４３  第１境界線
４２、４４  第２境界線
４５  第３境界線
４６  第４境界線
４７  境界線
５０  制御回路
５１  現在時刻計時回路
５２  照明機能オンオフスイッチ
５３  アナログ時刻表示部
５４  発光部駆動回路
５５  報音部
Ａ１、Ａ２、Ａ３  表面領域
Ｂａ、Ｂｂ、Ｂｃ、Ｂ１、Ｂ２、Ｂ３  直接光投影領域内の領域
Ｂａ´、Ｂｂ´、Ｂｃ´、Ｂ１´、Ｂ２´、Ｂ３´、Ｂ４´  間接光投影領域内の領域
Ｂ１１、Ｂ１２、Ｂ１３、Ｂ１４  間接光投影領域内の領域
Ｌｃ  隙間
Ｘ、Ｙ、Ｚ  領域
【図１】
2012145423.tif 000003
【図２】
2012145423.tif 000004
【図３】
2012145423.tif 000005
【図４】
2012145423.tif 000006
【図５】
2012145423.tif 000007
【図６】
2012145423.tif 000008
【図７】
2012145423.tif 000009
【図８】
2012145423.tif 000010
【図９】
2012145423.tif 000011
【図１０】
2012145423.tif 000012
【図１１】
2012145423.tif 000013
【図１２】
2012145423.tif 000014
【図１３】
2012145423.tif 000015
【図１４】
2012145423.tif 000016
【図１５】
2012145423.tif 000017
【図１６】
2012145423.tif 000018
【図１７】
2012145423.tif 000019
【図１８】
2012145423.tif 000020
【図１９】
2012145423.tif 000021